(57)【要約】  【課題】  流入してくる空気に対し流路抵抗を生じることなく紫外線の照射を行えるとともに、紫外線の外部への漏洩を防止できる紫外線ユニットを備えた空気清浄機を提供する。  【解決手段】  吸込口１と吹出口２とを結ぶ空気通路に、フィルタ４および５と紫外線ユニット８とを設けるとともに、清浄化された空気を前記吹出口２から送出する送風ファン６を設けてなる空気清浄機において、前記紫外線ユニット８を、流入口および流出口と、これら流入口および流出口を結ぶ通風路とを備えたケース8aと、同ケース8a内の側部寄りに前記通風路から離間して設けられた紫外線ランプ９と、同紫外線ランプ９と前記通風路との間に設けられ、同通風路を流通する空気に交差するように紫外線を導くセルを多数連設した紫外線透過部材11とで構成した。【選択図】  図２
2006034873.tif 000002
【特許請求の範囲】
【請求項１】
吸込口と吹出口とを結ぶ空気通路に、フィルタと紫外線ユニットとを設けるとともに、清浄化された空気を前記吹出口から送出する送風ファンを設けてなる空気清浄機において、
前記紫外線ユニットが、流入口および流出口と、これら流入口および流出口を結ぶ通風路とを備えたケースと、同ケース内の側部寄りに前記通風路から離間して設けられた紫外線ランプと、同紫外線ランプと前記通風路との間に設けられ、同通風路を流通する空気に交差するように紫外線を導くセルを多数連設した紫外線透過部材とで構成されてなることを特徴とする空気清浄機。
【請求項２】
前記セルが筒形状に形成され、前記紫外線透過部材がハニカム状に形成されてなることを特徴とする請求項１に記載の空気清浄機。
【請求項３】
前記ケース内に、前記紫外線透過部材に向けて紫外線を反射させる反射板が設けられてなることを特徴とする請求項１に記載の空気清浄機。
【発明の詳細な説明】
【技術分野】
【０００１】
本発明は、殺菌用の紫外線ランプを内蔵した空気清浄機に関わり、より詳細には、紫外線の外部への漏洩を防止する一方、殺菌効率を高めるようにした構造に関する。
【背景技術】
【０００２】
紫外線ランプを内蔵した従来の空気清浄機として、空気清浄機本体内に、一側が開放された金属性の箱体と、開放された一側を覆う上蓋とからなるユニットケースを設け、その中心部に紫外線ランプを配設したものが開示されていた（例えば、特許文献１参照。）。
【０００３】
前記ユニットケースの前面には、内側に折曲された複数の切起こし片が形成され、また、同切起こし片により切り欠かれた箇所には、空気が流入する複数のスリットが形成されるようになっている。
また同様に、後面にも内側に折曲された複数の切起こし片が形成され、同切起こし片により切り欠かれた箇所には、空気が流出する複数のスリットが形成されている。
【０００４】
前記ユニットケースの前面側スリットから吸込まれた空気は、矢印で示すように、前記切起こし片により進路を変更されながら、前記紫外線ランプから照射される紫外線を受け、後面側のスリットから流出するようになっている。
また、空気中に含有される細菌あるいは雑菌は紫外線の照射を受け、その殺菌作用により死滅あるいは消滅するようになっている。
前記紫外線ランプから放射状に拡がる紫外線は、前記切起こし片により遮蔽されて前記ユニットケース外への漏洩が防止されるようになっており、紫外線の漏洩による樹脂材の劣化あるいは人体への影響等を防ぐようになっている。
【０００５】
しかしながら、切起こし片等による遮蔽体は空気の流路抵抗となり、騒音を発生させる原因になるおそれがあった。
【０００６】
【特許文献１】特開平１１−６３５９２号公報（第１頁〜第１２頁、第１図〜第１７図）
【発明の開示】
【発明が解決しようとする課題】
【０００７】
本発明は上記問題点に鑑み、流入してくる空気に対し流路抵抗を生じることなく紫外線の照射を行えるとともに、紫外線の外部への漏洩を防止できる紫外線ユニットを備えた空気清浄機を提供することを目的とする。
【課題を解決するための手段】
【０００８】
本発明は上記課題を解決するため、吸込口と吹出口とを結ぶ空気通路に、フィルタと紫外線ユニットとを設けるとともに、清浄化された空気を前記吹出口から送出する送風ファンを設けてなる空気清浄機において、
前記紫外線ユニットが、流入口および流出口と、これら流入口および流出口を結ぶ通風路とを備えたケースと、同ケース内の側部寄りに前記通風路から離間して設けられた紫外線ランプと、同紫外線ランプと前記通風路との間に設けられ、同通風路を流通する空気に交差するように紫外線を導くセルを多数連設した紫外線透過部材とで構成されてなる構成となっている。
【０００９】
また、前記セルが筒形状に形成され、前記紫外線透過部材がハニカム状に形成されてなる構成となっている。
【００１０】
更に、前記ケース内に、前記紫外線透過部材に向けて紫外線を反射させる反射板が設けられてなる構成となっている。
【発明の効果】
【００１１】
本発明によれば、空気流入口および空気流出口からなる通風路を備えたケースと、同ケース内の側部に前記通風路から離間して設けられた紫外線ランプと、同紫外線ランプと前記通風路との間に設けられ、同通風路を流通する空気に直交するように紫外線を導くセルを多数連設した紫外線透過部材とで構成された紫外線ユニットを設けたことにより、前記紫外線ランプから照射された紫外線を左右成分に変換して前記紫外線ユニット内に流入してきた空気の殺菌作用を効果的に行える一方、紫外線の外部への漏洩を極力防止することができる空気清浄機となる。
また、前記紫外線ランプの一側にのみ設けられた少量の前記紫外線透過部材により、紫外線を拡散させることなく、直進性をもたせて効果的に水平方向に照射されるようになることからコスト的に有利である。
【発明を実施するための最良の形態】
【００１２】
以下、本発明の実施の形態を、添付図面に基づいた実施例として詳細に説明する。
図１は本発明による空気清浄機の断面図であり、図２は本発明による空気清浄機の分解斜視図であり、図３は本発明による空気清浄機の要部説明図で、（Ａ）は分解斜視図、（Ｂ）はＡで示すＡ部の拡大図であり、図４は本発明による空気清浄機の要部断面図で、（Ａ）は一例を示し、（Ｂ）は他の例を示す。
【実施例１】
【００１３】
本発明による空気清浄機は、実施例１として図で示すように、ベースと前面パネルと後部パネルとからなる本体の前面に複数の桟を備えた吸込口１を形成し、上面後部に複数の桟を備えた吹出口２を形成している。
【００１４】
前記本体内は、中央部に流入孔3aを穿設した仕切板により前後に区画され、区画された後部には、前記流入孔3aを臨ませてファンモータにより駆動される送風ファン６が設けられている。
区画された前部には、前記吸込口１側から順次プレフィルタ４と、集塵／脱臭フィルタ５と、紫外線ユニット８とが設けられ、又これらの上方には、制御基板あるいは前記紫外線ユニット８に電源を供給する電源部等を収容した制御部７が設けられている。
【００１５】
前記吸込口１から吸込まれた室内の空気は、前記プレフィルタ４により比較的粒径の粗い塵埃を除去され、続いて前記集塵／脱臭フィルタ５により比較的粒径の細かい塵埃が除去されるとともに含有する臭気成分が吸収されるようになっている。
塵埃と臭気成分とが除去された空気は、引き続いて前記紫外線ユニット８に流入することになり、これを通過することにより紫外線の照射を受けて、含有する細菌あるいは雑菌等を死滅あるいは消滅させるようになっている。
【００１６】
前記紫外線ユニット８は、前面に複数の桟を備えた流入口8bを形成し、後面に複数の桟を備えた流出口8cを形成した金属性でなる方形状のケース8aと、同ケース8a内の側部に垂直に設けられた紫外線ランプ９と、同紫外線ランプ９と、前記流入口8bおよび前記流出口8cからなる通風路との間に設けられ、左右面が開放されたセル10を多数連設した紫外線透過部材11とで構成されている。
【００１７】
前記紫外線ランプ９は、前記ケース8aの側部上下に設けられた正側電極と負側電極とで支承されるとともに、電源が供給されることにより、周囲に殺菌効果を有する２５４ｎｍ（ナノメートル）の紫外線を照射するようになっている。
【００１８】
前記紫外線ランプ９から照射された紫外線は、前記セル10を多数連設して前記紫外線ランプ９の一側にのみ設けられた少量の前記紫外線透過部材11により、前記ケース8a内で光を拡散させることなく、直進性をもたせて効果的に水平方向に照射されるようになっている。
【００１９】
これにより、前記流入口8bから流入して前記流出口8cから流出する空気は、この空気に直交する水平方向の紫外線が効果的に照射されることになって、含有する細菌あるいは雑菌等を効率よく死滅あるいは消滅できることになる。
【００２０】
また、前記紫外線透過部材11は、図３（Ｂ）で示すようにアルミ箔からなり、左右面が開放された筒形状の前記セル10を多数並べて、所謂ハニカム状に形成されている。
【００２１】
前記セル10は、対向する辺の間隔が１ｍｍ程度であり、前記紫外線ランプ９から放射状に照射された紫外線に含まれる水平成分をそのまま通過させ、前記ケース8a内を通過する空気に対する照射を行うとともに、反射率の高いアルミ箔からなることによりある角度をもって入射してきた紫外線を前記セル10内の壁面により交互に反射させ、横方向に向かう水平成分に変換させるようになっている。
【００２２】
これにより前記紫外線ランプ９から照射された紫外線は、前記ケース8a内で若干拡がるもののほとんどが横方向に向かうことになり、前記ケース8aの前面に形成された前記流入口8bおよび背面に形成された前記流出口8cからは外部に漏洩しないようになっている。
【００２３】
また、図４（Ａ）で示す一例のように、前記ケース8a内に、前記紫外線透過部材11に向けて紫外線を反射させる凹面状の反射板12が設けられた構成にしてもよい。
【００２４】
これにより、前記紫外線ランプ９から照射された紫外線を、前記紫外線透過部材11に向けて効率よく反射させることができるようになって、上述したような細菌あるいは雑菌等を更に効率よく死滅あるいは消滅できることになる。
【００２５】
または、前記ケース8aを、例えばアルミ材やＳＧＣＣ材といった反射性能が良好な材料で形成することによって、図４（Ｂ）で示す他の例のように、前記紫外線ランプ９から照射された紫外線を前記紫外線透過部材11に向けて効率よく反射させることができるようにしてもよい。
【００２６】
次に、動作について説明する。本体の前記吸込口１から吸込まれた室内の空気は、前記プレフィルタ４により比較的粒径の粗い塵埃を除去され、続いて前記集塵／脱臭フィルタ５により比較的粒径の細かい塵埃が除去されるとともに含有する臭気成分も吸収される。
【００２７】
続いて、図４（Ａ）および図４（Ｂ）で示すように、塵埃が除去され、且つ臭気成分も吸収された矢印ａで示す空気流に対し、前記紫外線ランプ９からの紫外線が矢印ｂで示すように照射されることになって、上述したような細菌あるいは雑菌等を更に効率よく死滅あるいは消滅できることになる。
【００２８】
その際、前記紫外線透過部材11は、前記紫外線ランプ９の一側にのみ設けられた構成になっていることから、少量の前記紫外線透過部材11を用いることで、前記紫外線ランプ９からの紫外線を拡散させることなく直進性をもたせることができることから、コスト的に有利な構成により、前記紫外線ユニット８内に流入してきた空気の殺菌作用を効果的に行える一方、紫外線の外部への漏洩を極力防止することができる空気清浄機となる。
【図面の簡単な説明】
【００２９】
【図１】本発明による空気清浄機の断面図である。
【図２】本発明による空気清浄機の分解斜視図である。
【図３】本発明による空気清浄機の要部説明図で、（Ａ）は分解斜視図であり、（Ｂ）はＡで示すＡ部の拡大図である。
【図４】本発明による空気清浄機の要部断面図で、（Ａ）は一例を示し、（Ｂ）は他の例を示す。
【符号の説明】
【００３０】
１  吸込口
２  吹出口
３  仕切板
3a  流入孔
４  プレフィルタ
５  集塵／脱臭フィルタ
６  送風ファン
７  制御部
８  紫外線ユニット
8a  ケース
8b  流入口
8c  流出口
９  紫外線ランプ
10  セル
11  紫外線透過部材
12  反射板
【図１】
2006034873.tif 000003
【図２】
2006034873.tif 000004
【図３】
2006034873.tif 000005
【図４】
2006034873.tif 000006